(57)【要約】【課題】精度が高く、強度も強く、低コストで、加工工数が少なく品質の管理も容易なボールアッシィロックを提供。【解決手段】ばね受け部７、小径筒部８、大径筒部９が順次形成されたチューブ４と、チューブ内４ａにコイルばね１１、ボール保持部１２、ボール１３を内装し、チューブの先端６よりボールの先端１３ａが突出するボールアセンブリー３とする。本体２に設けられた小径貫通穴１４、大径貫通穴１５にボールアセンブリーのチューブを挿入し、大小筒部間の段部１０と大小貫通穴間の本体段部１８とを当接し接着剤１９で固定する。本体外周２ａには取付ねじ１６と係合部１７を設ける。さらに、ボール保持部と、ボールとの間に多数の小ボール２１を介在させたフリー軸受２０とする。【選択図】        図２
2005122605.tif 000002
【特許請求の範囲】
【請求項１】
端部に設けられたばね受け部と、小径筒部と、大径筒部と、が順次形成され、前記小径及び大径筒部を接続する段部を有するチューブと、前記チューブ内に前記ばね受け部に当接し、前記大径筒部方向に向かって伸縮可能にされたコイルばねと、前記コイルばねに当接して前記大径筒部内面を摺動可能にされたボール保持部と、前記保持部に保持されたボールと、が順次内装され、前記チューブの先端より前記ボールが飛び出すことなく前記ボールの先端が突出するようにされた、ボールアセンブリーと、前記小径筒部が挿入される小径貫通穴と、前記大径筒部が挿入される大径貫通穴と、前記大径及び小径貫通穴の外周に設けられた取付ねじと、前記取付ねじを被取付部に対し螺着又は螺緩させるための係合部と、を有する本体と、を前記段部を前記大径及び小径貫通穴を接続する本体段部で当接固定させたことを特徴とするボールアッシイロック。
【請求項２】
前記段部と、前記本体段部と、が接着剤で固定されていることを特徴とする請求項１記載のボールアッシイロック。
【請求項３】
前記ボール保持部と、前記ボールとの間に多数の小ボールを介在させたフリー軸受であることを特徴とする請求項１又は２記載のボールアッシイロック。
【発明の詳細な説明】
【技術分野】
【０００１】
この発明は、例えば自動車用歯車手動変速機（トランスミッション）のシフトレバーをシフトレバーに連接されたシフトロッドの溝部にボールを押し込んで一時的に所定の位置に位置決めするためのボールアッシィロックに関し、さらには、先端のボールをフリー軸受としたボールアッシィロックに関する。
【背景技術】
【０００２】
従来、ボールアッシィロックは例えば、特許文献１においては、図３に示すように、六角穴３２ｂ付きボルト本体３２の下端３２ａに下方が開口する薄肉の筒型のチューブ３４の上端３５を固定して、チューブの内部穴３４ａの奥に、コイルばね１１、ボール１３を保持するボール保持部１２、ボール１３を順次挿入して、チューブの先端３６よりボールが飛び出さないようにかつボールが部分的にチューブ外部に露出させるようにコイルばねで付勢するようにしてボールアッシィロック３０としている。このボールアッシィロック３０をトランスミッションのケース５１に設けた取付穴５２に挿入して、ボルト本体３２上部の六角穴３２ｂによりボルト外周に設けられたねじ３７でケース側の取付ねじ５２ａにねじ込む。これによりボールアッシィロック３０のボール１３の露出部１３ａをシフトロッド５３の溝部５４に押し込むようにして戻り止め装置としている。シフトロッド５３の移動に伴いコイルばね１１に抗してボール１３が押し上げられ、隣接する溝部５５に落ち込むと再びコイルばねにより付勢され、ボールが溝部５５に押しつけられる。これにより位置決めを行う。
【０００３】
一方、特許文献２においては、ボールアッシィロックの先端のボールを１個のボールでなく、１個の大ボールとこれを支持する多数の小ボールからなるフリー軸受けを用いた例である。図４に示すように、薄肉のチューブからなるコップ状のばね受け４４の底部４４ｂに固定された半球状のボール保持部１２と、ボール保持部と１個の大ボール１３との間に多数の小ボール２１が配設されたフリー軸受２０とされている。ボール保持部１２の下端にはストッパー２２が設けられ小ボール２１の脱落を防いでいる。さらに、ストッパー２２の内径端２２ａが大ボール１３の先端１３ａが一部突出する一方、飛び出さないように大ボールの径より小径となるようにされている。ばね受け４４の外周４４ａには複数のボール４５を介して本体４２の穴内４２ａを上下（軸方向）に摺動可能にされ、さらにばね受けの底部４４ｂと本体４２に設けられたばね押さえ４７とによりコイルばね１１が挟持されている。さらに、本体４２の下端にはストッパー２２が当接し、コイルばね１１によりばね受け４４、ボール保持部１２、小ボール２１、大ボール１３が本体４２より飛び出さないように鍔４６が設けられ、ボールアッシィロック４０を構成している。本体の外周には、ねじ部１６とスパナ掛け１７が設けられている。本体４２をトランスミッションのケースに設けた取付穴に挿入しねじ部１６で螺着固定することにより、戻り止め装置としている。
【特許文献１】特許第３１５１０４０号公報
【特許文献２】特許第２８４５９３６合公報
【発明の開示】
【発明が解決しようとする課題】
【０００４】
かかる従来のものは、軽量化、低コスト化のためにボール１３やコイルばね１１が取付けられる部分を薄肉のチューブ３４，４４にしている。しかしながら、特許文献１のものは、本体３２とチューブ３４とを加締めや、溶接により固定するため同心度、直角度が悪くチューブ３４と穴５２との隙間を大きくする必要があり、取付精度が悪く、強度的にも弱くなるという問題があった。また、チューブ３４の上部３５にボルト本体３２を配置するので長さが長くなるという問題があった。一方、特許文献２のものは、フリー軸受２０とするため径方向の増大はあるが、長手方向は短くすることができる。しかし、ばね押さえ４７を本体４２に設けているためコイルばね１１の長さを長くすると本体長さも長くする必要があり、高コストとなる。また、ばね押さえ４７を本体４２と一体とすると組み付けが困難であり、加締め等では加締め工数が必要となり、加締めの品質管理が必要となる問題があった。また、ばね受け４４外周４４ａの複数のボール２５の摺動面が本体４２の穴内４２ａとなるので、本体の加工精度を高くしなければならないという問題があった。
【０００５】
本発明の課題は前述した問題点に鑑みて、同心度や直角度の精度が高く、取付精度がよく強度も強い、さらには長手方向に短いボールアッシィロックを提供することである。さらには、長コイルばねであっても本体等が低コストであり、また、本体の加工工数が少なく品質の管理も容易なボールアッシィロックを提供することである。
【課題を解決するための手段】
【０００６】
本発明においては、端部に設けられたばね受け部と、小径筒部と、大径筒部と、が順次形成され、前記小径及び大径筒部を接続する段部を有するチューブと、前記チューブ内に前記ばね受け部に当接し、前記大径筒部方向に向かって伸縮可能にされたコイルばねと、前記コイルばねに当接して前記大径筒部内面を摺動可能にされたボール保持部と、前記保持部に保持されたボールと、が順次内装され、前記チューブの先端より前記ボールが飛び出すことなく前記ボールの先端が突出するようにされた、ボールアセンブリーと、前記小径筒部が挿入される小径貫通穴と、前記大径筒部が挿入される大径貫通穴と、前記大径及び小径貫通穴の外周に設けられた取付ねじと、前記取付ねじを被取付部に対し螺着又は螺緩させるための係合部と、を有する本体と、を前記段部を前記大径及び小径貫通穴を接続する本体段部で当接固定させたボールアッシイロックを提供することにより前述した課題を解決した。
【０００７】
即ち、薄肉のチューブ内にコイルばね、保持部、ボールを挿入し、ボールアセンブリとし、本体の貫通穴に挿入して、チューブの段部と、本体側の段部とで当接固定するようにしたので、組み付けが容易で精度も高い。また、本体穴は貫通穴であり、コイルばねが挿入される小径筒部、ボールが挿入される大径筒部はそれぞれ貫通穴より延出可能であるので、チューブの軸方向（長手方向）の長さは本体とは独立して設定できる。また、ボール保持部はチューブ内を移動するので、本体の精度は不要である。
【０００８】
本発明のボールアッシィロックの取付状態では、段部が互いに当接するように力が働くので特に固定する必要はないが、搬送時、保管時等にバラバラにならないようにするのが好ましい。そこで、請求項２に記載の発明においては、前記段部と、前記本体段部と、が接着剤で固定されているボールアッシイロックとした。また、１個のボールばかりでなく特許文献２のような、フリー軸受の場合にも適用できるので、請求項３に記載の発明においては、前記ボール保持部と、前記ボールとの間に多数の小ボールを介在させたフリー軸受とした。
【発明の効果】
【０００９】
本発明においては、、チューブの段部と、本体側の段部とで当接固定し組み付けを容易とし精度も高くしたので、従来と同様にチューブによるコストダウン、本体の簡易化によるコストダウンを計れる上に、高精度で、加工、取り扱い、品質管理が容易なものとなる。また、特許文献１等に比して同心度や直角度の精度が高く、取付精度がよく強度も強い、さらには長手方向に短いボールアッシィロックを提供するものとなった。さらに、小径筒部、大径筒部をそれぞれ貫通穴より延出可能とし、チューブと本体との長さを独立して設定できるので、特許文献２に比して、長いコイルばねであってもチューブを伸ばすだけで、本体は伸ばす必要が無く、本体等が低コストである。また、ボール保持部をチューブ内で移動させ、本体の精度を不要とし、さらには、コイルばねはチューブ内に設けられるので、本体側にかしめや溶接することもなく本体の加工工数が少なく品質の管理も容易なものとなった。さらに、チューブは段付きとなるので、プレス加工がし易くなり、加工精度も確保し易く、強度も高いものとなった。
【００１０】
また、段部と、本体段部とを接着剤で固定したので、取り扱い、組み付けが容易である。なお、接着剤の他、組み付け後に小径筒部側に折り返し爪、凸部等を設けて、段部と爪とで本体を挟持するようにして軸方向に固定するようにしてもよいが、強度的には接着剤で充分であり低コストである。さらに、フリー軸受に適用することにより、簡単な構造で、ボール回転抵抗を低くし、シフトレバーのフィーリングを良くすることができる。
【発明を実施するための最良の形態】
【００１１】
本発明の実施の形態について図面を参照して説明する。図１は本発明の実施の形態を示すボールアッシィロックの縦断面図である。なお、前述したと同様な部分については同符号を付している。図１において、ボールアッシィロック１は、本体２、チューブ４、ボール１３等から構成されており、薄肉のチューブは端部５に設けられたばね受け部７と、小径筒部８と、大径筒部９と、が順次形成され、小径及び大径筒部間に段部１０が形成されている。チューブ内４ａにはコイルばね１１がばね受け部７に当接されコイルばねが大径部方向に向かって伸縮可能にされている。コイルばね１１の他端に大径筒部内面９ａを摺動可能にされたボール保持部１２が当接されている。ボール保持部１２にはボール受け面１２ｂが設けられ、ボール１３が保持されている。チューブ４の先端よりボール１３が飛び出すことなくボールの先端１３ａが突出するようにチューブの先端６がボール径より小径にされ、ボールアセンブリー３とされる。ボールアセンブリー３はこのままで搬送、保管が可能である。さらに、このボールアセンブリー３がトランスミッション等の被取付部に固定するための本体２と一体にされボールアッシイロック１となる。本体２にはチューブ４の小径筒部８が挿入される小径貫通穴１４と、チューブの大径筒部９が挿入される大径貫通穴１５とが明けられている。この大小貫通穴１４，１５にチューブ４の大小径筒部８，９を挿入し、チューブの段部１０と本体２の大径及び小径貫通穴間の本体段部１８間に接着剤１９を塗布し、互いに当接させ、ボールアセンブリー３と本体２とを一体に固定しボールアッシイロック１とされる。本体外周２ａには、取付ねじ１６と、係合部１７である六角断面部が設けられており、六角断面部にスパナをかけて取付ねじを被取付部に対し螺着又は螺緩可能にされており、ボールアッシイロックの取付け、取外しが可能となるようにされている。
【００１２】
なお、特許文献１と同様に、ボール保持部１２の外周１２ａはフッ素コーティングとされ、大径筒部９ａ内をスムースに移動可能にされボール１３の出入りをスムースにする。また、チューブ内４ａにコーティングや熱処理をしたり、ボール保持部１２を樹脂製にしたりしてもよい。また、チューブの端部５は閉塞させているが穴等を設けてもよい。
【００１３】
次に、本発明の他の実施の形態について図面を参照して説明する。図２は本発明の他の実施の形態を示すフリー軸受を用いたボールアッシィロックの縦断面図である。図１と同様な部品については同符号を付し説明に一部を省略する。図２において、ボール保持部１２とボール（以下大ボールという）１３との間に多数の小ボール２１（一部図を省略している）が設けられたフリー軸受２０とされており、大ボールは小ボールと転がり接触しながら回転するので非常に低い抵抗で大ボールが回転することができる。小ボール２１の脱落防止のためにボール保持部１２の下端にはストッパー２２が設けられている。大ボール１３の飛び出し防止にために前述したと同様、チューブ４の先端６がボール径より小径にされ、ボールアセンブリー３とされる。その他の部分については、図１と同様なので説明を省略する。
【００１４】
なお、図２においては、ボール保持部１２の外周１２ａは図１と同様大径筒部内径９ａを摺動するようにしているが、特許文献２のようにボール保持部とチューブ大径筒部内径との間に軸方向摺動可能なボールを挿入する構造としてもよい。また、大ボール１３と小ボール２１とボール保持部１２とからなるフリー軸受２０の構造は本実施の形態にかかわらず種々の形態が可能である。チューブ４と本体２との固定は前述した他に、小径筒部８と小径貫通穴１４とを、しまりばめ、接着剤による固定で行うようにしてもよい。なお、大径筒部９では変形によりボール保持部１２の動きが悪くなるおそれがあるので、大径筒部と大径貫通穴１５とはすきまを設けるのがよい。
【図面の簡単な説明】
【００１５】
【図１】本発明の実施の形態を示すボールアッシィロックの縦断面図である。
【図２】本発明の他の実施の形態を示すフリー軸受を用いたボールアッシィロックの縦断面図である。
【図３】従来の単ボール型のボールアッシィロックの縦断面図である。
【図４】従来のフリー軸受型のボールアッシィロックの縦断面図である。
【符号の説明】
【００１６】
１    ボールアッシイロック。
２    本体
２ａ  本体外周
３    ボールアセンブリー
４    チューブ
４ａ  チューブ内
５    チューブの端部
６    チューブの先端
７    ばね受け部
８    小径筒部
９    大径筒部
１０    段部
１１  コイルばね
１２  ボール保持部
１３  ボール（大ボール）
１３ａ  ボールの先端
１４  小径貫通穴
１５  大径貫通穴
１６  取付ねじ
１７  係合部
１８  本体段部
１９  接着剤
２０  フリー軸受
２１  小ボール
【図１】
2005122605.tif 000003
【図２】
2005122605.tif 000004
【図３】
2005122605.tif 000005
【図４】
2005122605.tif 000006